(57)【特許請求の範囲】
【請求項１】
長尺状のポリオレフィン系フィルムのフィルム長手方向に沿った両端縁に細幅の補強帯を有し、該補強帯に幅２０ｍｍ以上１００ｍｍ以下で長さ２０ｃｍ以上５０ｃｍ以下の長方形状の結束用のフィルムバンドの一端を、前記補強帯に沿って５０〜７０ｃｍ間隔で前記フィルムバンドに直交する溶着部を形成し、前記溶着部の領域の両側に非溶着部を形成することを特徴とする農業用フィルム。
【請求項２】
前記非溶着部の幅が、１〜５ｍｍであることを特徴とする請求項１記載の農業用フィルム。
【請求項３】
補強帯が、長尺状のポリオレフィン系フィルムの両端縁を折り曲げ、該折り曲げ幅の内部に酢酸ビニル系樹脂テープを挿入してなることを特徴とする請求項１又は２記載の農業用フィルム。
【請求項４】
フィルムバンドが、幅４０ｍｍ以上７０ｍｍ未満のポリオレフィン系延伸フィルムであり、溶着部の幅が３０ｍｍ以上６０ｍｍ未満であることを特徴とする請求項１、２又は３記載の農業用フィルム。
【請求項５】
溶着部が、高周波シール方式による熱溶着によって形成されることを特徴とする請求項１、２、３又は４記載の農業用フィルム。
【発明の詳細な説明】
【０００１】
【発明の属する技術分野】
本発明は、農業用フィルムに関し、詳しくは、ブドウ棚や梨棚の上面を覆うトンネル用フィルムの固定作業が極めて容易になる農業用フィルムに関する。
【０００２】
【従来の技術】
従来、ブドウ棚や梨棚の上面を覆うトンネル用フィルムの固定手段としては、図５に示すような手法が採用されていた。即ち、長尺状のフィルム１００の両端に、フィルム長手方向に沿った両端縁に細幅の補強帯１０１を設け、その補強帯１０１の部位に、一定間隔で鳩目１０２加工を施し、紐孔１０３を形成する。鳩目の大きさは直径１０mm程度で、紐孔の直径は５mm程度である。その紐孔１０３に黒色バンド１０４（黒色が主流であるが黒色以外もある）を取り付け、その黒色バンド１０４を棚の部材（図示せず）に結んで、トンネル用フィルムを固定していた。
【０００３】
しかし、かかる手法では、鳩目加工における鳩目材が必要となり、その鳩目加工の作業が煩雑であり、その材料コストと作業コストがかかる問題がある。それに加えて紐孔１０３に黒色バンド１０４を結束する作業も非常に煩雑であり、農家にとって大変な手間となる。
【０００４】
またフィルム展張後、時間の経過と共に、強風の影響などで、黒色バンドを取り付けた鳩目部分の周囲が破け、鳩目自体が脱落してしまう問題があった。これは鳩目シールでの小さいシール部（シール長さまたは断面）に応力が集中するためであり、この対策として、長手方向の取り付け間隔を小さくして、鳩目1個あたりの負荷を小さくすることも考えられるが、黒色のバンドの取り付け間隔を小さくすると、上記の材料コストや作業手間がアップするだけでなく、栽培作物であるブドウや梨などに対する太陽光を遮光し、生育を阻害する問題があった。
【０００５】
さらに廃プラ処理の際に、黒色バンドとトンネル用フィルムは材質が異なるため、分別処理をしなければならなかった。
【０００６】
【発明が解決しようとする課題】
そこで、本発明は、材料コストや作業コストが少なく、また栽培作物であるブドウや梨などの生育を阻害することなくトンネル用フィルムを確実に固定でき、さらに廃プラ処理の際に分別処理を不要にする農業用フィルムを提供することを課題とする。
【０００７】
【課題を解決するための手段】
上記課題を解決する請求項１に記載の発明は、長尺状のポリオレフィン系フィルムのフィルム長手方向に沿った両端縁に細幅の補強帯を有し、該補強帯に幅２０ｍｍ以上１００ｍｍ以下で長さ２０ｃｍ以上５０ｃｍ以下の長方形状の結束用のフィルムバンドの一端を、前記補強帯に沿って５０〜７０ｃｍ間隔で前記フィルムバンドに直交する溶着部を形成し、前記溶着部の領域の両側に非溶着部を形成することを特徴とする農業用フィルムである。
【０００９】
請求項２に記載の発明は、前記非溶着部の幅が、１〜５ｍｍであることを特徴とする請求項１記載の農業用フィルムである。
【００１０】
請求項３に記載の発明は、補強帯が、長尺状のポリオレフィン系フィルムの両端縁を折り曲げ、該折り曲げ幅の内部に酢酸ビニル系樹脂テープを挿入してなることを特徴とする請求項１又は２記載の農業用フィルムである。
【００１１】
請求項４に記載の発明は、フィルムバンドが、幅４０ｍｍ以上７０ｍｍ未満のポリオレフィン系延伸フィルムであり、溶着部の幅が３０ｍｍ以上６０ｍｍ未満であることを特徴とする請求項１、２又は３記載の農業用フィルムである。
【００１２】
請求項５に記載の発明は、溶着部が、高周波シール方式による熱溶着によって形成されることを特徴とする請求項１、２、３又は４記載の農業用フィルムである。
【００１３】
【発明の実施の形態】
以下、本発明の実施の形態について説明する。
【００１４】
図1には、本発明の農業用フィルムの一例が示されている。即ち、１は長尺状のポリオレフィン系フィルムであり、該フィルム１の長手方向（図面上左右方向）に沿った両端縁に細幅の補強帯２，２が形成されている。
【００１５】
ポリオレフィン系フィルムに用いられるポリオレフィン樹脂としては、低密度ポリエチレン、高密度ポリエチレン、直鎖状低密度ポリエチレン、エチレン−酢酸ビニル共重合体、エチレン−アクリル酸共重合体等の樹脂が挙げられる。
【００１６】
ポリオレフィン系フィルムは、ポリオレフィンの単層フィルムであっても、積層フィルムであってもよい。
【００１７】
フィルムの厚みは、トンネル用フィルムとしての耐久性等を考慮して、３０〜１００μの範囲が好ましく、４０〜７０μの範囲がより好ましい。
【００１８】
補強帯２は、長尺状のポリオレフィン系フィルムの両端縁を折り曲げて形成することができる。折り曲げ幅は３０〜５０ｍｍの範囲が好ましい。
【００１９】
補強帯２は、図２に示すように、長尺状のポリオレフィン系フィルムの両端縁を折り曲げ、該折り曲げ幅の内部に酢酸ビニル系樹脂などの素材で形成された補強テープ２０を挿入することが、フィルムバンドの溶着の便宜性や溶着後の強度維持効果を増す上で好ましい。
【００２０】
図１において、３はフィルムバンドであり、該フィルムバンド３の一端は補強帯２の部位に溶着して固定されている。４は溶着部である。該フィルムバンド３の幅Ｌ1 は２０ｍｍ以上１００ｍｍ以下であればよく、長さＬ2は２０ｃｍ以上５０ｃｍ以下であればよい。複数のフィルムバンドのそれぞれの幅と長さは多少異なってもよい。
【００２１】
フィルムバンド３と隣接するフィルムバンド３との間隔Ｌ3は５０〜７０ｃｍであればよく、等間隔でもよいし、多少異なってもよい。
【００２２】
フィルムバンド３は、幅Ｌ1 が４０ｍｍ以上７０ｍｍ未満であるポリオレフィン系延伸フィルムであることがより好ましく、さらに長尺方向に延伸処理が施されたポリオレフィン系多層フィルムが好ましい。例えば２層構成のフィルムの場合、第１の層は、密度が０．９３０ｇ／ｃｍ3以下の直鎖状低密度ポリエチレン、高圧法低密度ポリエチレン、またはその混合物を主成分とする層が挙げられる。第２の層はポリプロピレン（エチレン含有量１０％以下）、又は高密度ポリエチレンなどを主体とする層である。
【００２３】
本発明においては、前記溶着部４の領域（図面で斜線で示されている部位）の両側に前記フィルムバンド３の非溶着部５を有することが好ましい。図面では溶着部４の領域の周囲に非溶着部５を形成した例が示されているが、限定されるわけではない。
【００２４】
かかる非溶着部５を形成することによって、使用時にフィルムバンド３が補強帯２から脱離ないし剥離するのを防止できる。
【００２５】
図１に示すように、バンド全幅をシールすると、シール幅Ｌ1の両端Ａ部はバンドとしては薄くなり、キズとなるため所謂ノッチ効果（ノッチ効果は外部両端Ａ部で大きく、内部Ｂでは小さい。）となり、強度が低下する。
【００２６】
また延伸したバンドでは熱によりバンドの延伸効果がＡ部極所で低下することによるノッチ効果もあると思われる。
【００２７】
溶着部と非溶着部の領域の関係を図３に基づいて説明する。溶着部４の長さａ１、 非溶着部５の長さａ２とすると、ａ１ は３０〜６０ｍｍの範囲、ａ２は１〜５ｍｍの範囲が強度や紐としての結束性の点で好ましい。
【００２８】
溶着部４の幅ｂは７〜１５ｍｍの範囲が好ましく、また幅方向のシール強度をバンドを結束する反対側で強くすると、上記ノッチ効果を柔らげるので好ましい。
【００２９】
本発明において、溶着部４は高周波シール方式による熱溶着によって形成することが作業性の向上を図る上で好ましい。
【００３０】
図４には、本発明の農業用フィルムの使用状態が示されており、ブドウ棚１０等の上にトンネル用フィルム１が展張され、その両側がフィルムバンド３で固定されている。
【００３１】
【発明の効果】
本発明によれば、幅２０ｍｍ以上１００ｍｍ以下で長さ２０ｃｍ以上５０ｃｍ以下のフィルムバンドを補強帯に沿って５０〜７０ｃｍ間隔で溶着して溶着部を形成するにより、材料コストや作業コストが少なく、また栽培作物であるブドウや梨などの生育を阻害することなくトンネル用フィルムを確実に固定できる。
【００３２】
また前記溶着部の領域の両側に前記フィルムバンドの非溶着部を形成することにより、上記ノッチ効果を柔らげる効果がある。
【００３３】
更に非溶着部の幅が、１〜５ｍｍであることにより、ノッチ効果を回避でき、また紐としての結束作業性を向上させる効果がある。
【００３４】
補強帯が、長尺状のポリオレフィン系フィルムの両端縁を折り曲げ、該折り曲げ幅の内部に酢酸ビニル系樹脂テープを挿入してなることにより、以下の効果がある。即ち、一般にフィルム端部にはキズがある。従って、ここから破れるノッチ効果がある。この対策には折り込み、即ちキズを端に出さないのがよい。
【００３５】
フィルムバンドが、幅４０ｍｍ以上７０ｍｍ未満のポリオレフィン系延伸フィルムであり、溶着部の幅が３０ｍｍ以上６０ｍｍ未満であることにより、材料コストや作業コストが少なく、また栽培作物であるブドウや梨などの生育を阻害することなくトンネル用フィルムを確実に固定できるのみならず、廃プラ処理の際に分別処理を不要にする。
【００３６】
溶着部が、高周波シール方式による熱溶着によって形成されることにより、シール形状やシール強度のコントロールがし易いという効果がある。
【図面の簡単な説明】
【図１】本発明のフィルムの一例を示す要部説明図
【図２】補強帯の部位を示す断面図
【図３】溶着部と非溶着部の関係を示す図
【図４】本発明のフィルムの使用状態を示す要部斜視図
【図５】従来例を示す要部説明図
【符号の説明】
１：フィルム
２：補強帯
２０：補強テープ
３：フィルムバンド
４：溶着部
５：非溶着部
１０：ブドウ棚
【図１】
0003759433.tif 000002
【図２】
0003759433.tif 000003
【図３】
0003759433.tif 000004
【図４】
0003759433.tif 000005
【図５】
0003759433.tif 000006